(57)【要約】【課題】外形寸法がガス側閉鎖弁及びガス側閉鎖弁に接続される配管のサイズに影響され難い室外ユニットを提供する。【解決手段】空気調和装置１の室外ユニット２では、側板２１からのガス側閉鎖弁６２の突出高さが、側板２１からの液側閉鎖弁６１の突出高さとほぼ同じになるように、ガス側閉鎖弁６２が取り付けられる第２取付面３１２の突出高さが、液側閉鎖弁６１が取り付けられる第１取付面３１１より低く設定されている。【選択図】図３
2010096366.tif 000002
【特許請求の範囲】
【請求項１】
空気調和装置の室内ユニットに液側冷媒連絡配管及びガス側冷媒連絡配管を介して接続されて蒸気圧縮式冷凍回路を構成する空気調和装置の室外ユニットであって、
前記液側冷媒連絡配管が接続される液側閉鎖弁（６１）と、
前記ガス側冷媒連絡配管が接続されるガス側閉鎖弁（６２）と、
前記液側閉鎖弁（６１）及び前記ガス側閉鎖弁（６２）を支持する閉鎖弁取付板（３０）と、
前記閉鎖弁取付板（３０）が装着される筐体（２０）と、
を備え、
前記閉鎖弁取付板（３０）は、
前記液側閉鎖弁（６１）が取り付けられる第１取付面（３１１）と、
前記ガス側閉鎖弁（６２）が取り付けられる第２取付面（３１２）と、
を有し、
前記第１取付面（３１１）及び前記第２取付面（３１２）の前記筐体（２０）からの高さがそれぞれ異なっている、
空気調和装置の室外ユニット（２）。
【請求項２】
前記第１取付面（３１１）及び前記第２取付面（３１２）は、前記筐体（２０）の側面（２１）の外側に向って突出している、
請求項１に記載の空気調和装置の室外ユニット（２）。
【請求項３】
前記閉鎖弁取付板（３０）に前記液側閉鎖弁（６１）及び前記ガス側閉鎖弁（６２）が取り付けられたとき、前記液側閉鎖弁（６１）及び前記ガス側閉鎖弁（６２）の前記筐体（２０）の側面（２１）からの最大離反距離がほぼ同じである、
請求項１又は請求項２に記載の空気調和装置の室外ユニット（２）。
【請求項４】
前記蒸気圧縮式冷凍回路に使用される冷媒は、分子式がＣ3ＨmＦn（但し、ｍ＝１〜５，ｎ＝１〜５、且つｍ＋ｎ＝６）で示され且つ分子構造中に二重結合を１個有する有機化合物から成る単一冷媒又は前記単一冷媒を含む混合冷媒である、
請求項１から請求項３のいずれか１項に記載の空気調和装置の室外ユニット（２）。
【請求項５】
前記冷媒が、２，３，３，３−テトラフルオロ−１−プロペンから成る単一冷媒又は前記単一冷媒を含む混合冷媒である、
請求項４に記載の空気調和装置の室外ユニット（２）。
【請求項６】
前記冷媒が、２，３，３，３−テトラフルオロ−１−プロペンとジフルオロメタンとを含む混合冷媒である、
請求項４に記載の空気調和装置の室外ユニット（２）。
【請求項７】
前記冷媒が、２，３，３，３−テトラフルオロ−１−プロペンとペンタフルオロエタンとを含む混合冷媒である、
請求項４に記載の空気調和装置の室外ユニット（２）。
【発明の詳細な説明】
【技術分野】
【０００１】
本発明は、空気調和装置の室外ユニットに関する。
【背景技術】
【０００２】
空気調和装置の室外ユニットは、略直方体形状のケーシングに収納された状態で外部に据付けられる。ケーシングの側板近傍には、液側閉鎖弁及びガス側閉鎖弁を固定する閉鎖弁取付板が設けられており、その閉鎖弁取付板が側板の外側へ露出している。そして、その閉鎖弁取付板に液側閉鎖弁及びガス側閉鎖弁が取り付けられた後、液側閉鎖弁及びガス側閉鎖弁を覆うようにカバーが側板に取り付けられる（例えば、特許文献１参照）。
【０００３】
通常、ガス側閉鎖弁に接続される配管の径は、液側閉鎖弁に接続される配管の径より大きいので、ガス側閉鎖弁が液側閉鎖弁より大型になる。その結果、室外ユニットの外形が大型化する。特に、地球温暖化係数が低い冷媒は圧力損失の影響を受けやすく、圧力損失を減らすためにガス側閉鎖弁に接続される配管の径が従来品より大きくなる。その結果、室外ユニットの外形寸法はさらに大型化する。
【特許文献１】特開２０００−９７４５３号公報
【発明の開示】
【発明が解決しようとする課題】
【０００４】
本発明の課題は、外形寸法がガス側閉鎖弁及びガス側閉鎖弁に接続される配管のサイズに影響され難い室外ユニットを提供することにある。
【課題を解決するための手段】
【０００５】
第１発明に係る空気調和装置の室外ユニットは、空気調和装置の室内ユニットに液側冷媒連絡配管及びガス側冷媒連絡配管を介して接続されて蒸気圧縮式冷凍回路を構成する空気調和装置の室外ユニットであって、液側閉鎖弁と、ガス側閉鎖弁と、閉鎖弁取付板と、筐体とを備えている。液側閉鎖弁は、液側冷媒連絡配管が接続される。ガス側閉鎖弁は、ガス側冷媒連絡配管が接続される。閉鎖弁取付板は、液側閉鎖弁及びガス側閉鎖弁を支持する。筐体は、閉鎖弁取付板が装着される。閉鎖弁取付板は、第１取付面と、第２取付面とを有している。第１取付面は、液側閉鎖弁が取り付けられる。第２取付面は、ガス側閉鎖弁が取り付けられる。そして、第１取付面及び第２取付面の筐体からの高さはそれぞれ異なっている。
【０００６】
この室外ユニットでは、第１取付面及び第２取付面のうち、サイズの大きい閉鎖弁が取り付けられる側の取付面の突出高さを低くすることによって、仮に、閉鎖弁取付板が室外ユニットの側面近傍に位置していた場合でも、その側面からの閉鎖弁の突出量が小さく抑えられる。その結果、室外ユニットの大型化が抑制される。
【０００７】
第２発明に係る空気調和装置の室外ユニットは、第１発明に係る空気調和装置の室外ユニットであって、第１取付面および第２取付面が、筐体の側面の外側に向って突出している。
【０００８】
この室外ユニットでは、第１取付面及び第２取付面のうち、サイズの大きい閉鎖弁が取り付けられる側の取付面の突出高さを低くすることによって、筐体の側面からの閉鎖弁の突出量が小さく抑えられる。その結果、室外ユニットの大型化が抑制される。
【０００９】
第３発明に係る空気調和装置の室外ユニットは、第１発明又は第２発明に係る空気調和装置の室外ユニットであって、閉鎖弁取付板に液側閉鎖弁およびガス側閉鎖弁が取り付けられたとき、液側閉鎖弁およびガス側閉鎖弁の筐体の側面からの最大離反距離がほぼ同じである。
【００１０】
この室外ユニットでは、仮に、閉鎖弁取付板が室外ユニットの側面近傍に位置していた場合でも、その側面からの液側閉鎖弁及びガス側閉鎖弁の突出量がほぼ同じに見えるので、見栄えがよい。
【００１１】
第４発明に係る空気調和装置の室外ユニットは、第１発明から第３発明のいずれか１つに係る空気調和装置の室外ユニットであって、蒸気圧縮式冷凍回路に使用される冷媒が、分子式がＣ3ＨmＦn（但し、ｍ＝１〜５，ｎ＝１〜５、且つｍ＋ｎ＝６）で示され且つ分子構造中に二重結合を１個有する有機化合物から成る単一冷媒又は前記単一冷媒を含む混合冷媒である。
【００１２】
この室外ユニットでは、上記冷媒を使用した冷凍回路では、ガス側冷媒連絡配管の配管径の大型化に伴いガス側閉鎖弁も大きくなるが、ガス側閉鎖弁が取り付けられる第２取付面の突出高さがより低く設定されることが可能となり、ガス側閉鎖弁のケーシング側面からの突出量が抑制される。その結果、室外ユニットの大型化が抑制される。
【００１３】
第５発明に係る空気調和装置の室外ユニットは、第４発明に係る空気調和装置の室外ユニットであって、冷媒が、２，３，３，３−テトラフルオロ−１−プロペンから成る単一冷媒又は前記単一冷媒を含む混合冷媒である。
【００１４】
第６発明に係る空気調和装置の室外ユニットは、第４発明に係る空気調和装置の室外ユニットであって、冷媒が、２，３，３，３−テトラフルオロ−１−プロペンとジフルオロメタンとを含む混合冷媒である。
【００１５】
第７発明に係る空気調和装置の室外ユニットは、第４発明に係る空気調和装置の室外ユニットであって、冷媒が、２，３，３，３−テトラフルオロ−１−プロペンとペンタフルオロエタンとを含む混合冷媒である。
【発明の効果】
【００１６】
第１発明又は第２発明に係る空気調和装置の室外ユニットでは、筐体の側面からの閉鎖弁の突出量が小さく抑えられるので、室外ユニットの大型化が抑制される。
【００１７】
第３発明に係る空気調和装置の室外ユニットでは、筐体の側面からの液側閉鎖弁及びガス側閉鎖弁の突出量がほぼ同じに見えるので、見栄えがよい。
【００１８】
第４発明から第７発明のいずれか１つに係る空気調和装置の室外ユニットでは、ガス側閉鎖弁が取り付けられる第２取付面の突出高さがより低く設定されることが可能となり、ガス側閉鎖弁のケーシング側面からの突出量が抑制される。その結果、室外ユニットの大型化が抑制される。
【発明を実施するための最良の形態】
【００１９】
以下図面を参照しながら、本発明の実施形態について説明する。なお、以下の実施形態は、本発明の具体例であって、本発明の技術的範囲を限定するものではない。
【００２０】
図１は、本発明の一実施形態に係る室外ユニットを用いた空気調和装置の外観図である。図１において、空気調和装置１は、室外に設置される室外ユニット２と、室内に設置される室内ユニット３とを有しており、室内の冷房および暖房を行うことができる。
【００２１】
図２は、本発明の一実施形態に係る室外ユニットを用いた空気調和装置の構成図である。図２において、空気調和装置１は、冷媒が充填された冷媒回路１０を備えている。冷媒回路１０は、室外ユニット２に収容された室外側回路と、室内ユニット３に収容された室内側回路とを備えている。室外側回路と室内側回路とは、ガス側冷媒連絡配管１７ａ及び液側冷媒連絡配管１７ｂによって接続されている。
【００２２】
＜室外ユニットの構成＞
室外ユニット２における室外側回路には、圧縮機１１、四路切換弁１２、室外熱交換器１３、及び膨張弁１４が接続されている。室外側回路の一端には、液側冷媒連絡配管１７ｂが接続される液側閉鎖弁６１が設けられている。室外側回路の他端には、ガス側冷媒連絡配管１７ａが接続されるガス側閉鎖弁６２が設けられている。
【００２３】
圧縮機１１の吐出側は、四路切換弁１２の第１ポートＰ１に接続されている。圧縮機１１の吸入側は、アキュームレータ１６を挟んで四路切換弁１２の第３ポートＰ３に接続されている。アキュームレータ１６は、液冷媒とガス冷媒とを分離する。
【００２４】
室外熱交換器１３は、クロスフィン式のフィン・アンド・チューブ型熱交換器である。この室外熱交換器１３の近傍には、室外空気を送るための室外ファン２３が設けられている。室外熱交換器１３の一端側は、四路切換弁１２の第４ポートＰ４に接続されている。室外熱交換器１３の他端側は、減圧手段である膨張弁１４に接続されている。
【００２５】
膨張弁１４は、開度可変の電子膨張弁であり、液側閉鎖弁６１に接続されている。また、四路切換弁１２の第２ポートＰ２はガス側閉鎖弁６２に接続されている。
【００２６】
四路切換弁１２は、第１ポートＰ１と第４ポートＰ４が互いに連通して第２ポートＰ２と第３ポートＰ３が互いに連通する第１状態（図１の実線で示す状態）と、第１ポートＰ１と第２ポートＰ２が互いに連通して第３ポートＰ３と第４ポートＰ４が互いに連通する第２状態（図１の点線で示す状態）とが切り換え可能となっている。
【００２７】
＜室内ユニットの構成＞
室内側回路には、室内熱交換器１５が接続されている。室内熱交換器１５は、クロスフィン式のフィン・アンド・チューブ型熱交換器である。この室内熱交換器１５の近傍には、室内熱交換器１５に室内空気を送るための室内ファン３３が設けられている。
【００２８】
＜各種センサ＞
空気調和装置１には、サーミスタから成る室外温度センサ１０２、室内温度センサ１０３、吐出管温度センサ１１１、室外熱交換器温度センサ１１３、及び室内熱交換器温度センサ１１５が設けられている。室外温度センサ１０２は、室外ユニット２の周囲温度を検知する。室内温度センサ１０３は、室内温度を検知する。
【００２９】
吐出管温度センサ１１１は、圧縮機１１の吐出配管に取付けられ冷媒の吐出温度を検知する。室外熱交換器温度センサ１１３は、室外熱交換器１３に取付けられ、室外熱交換器１３の所定領域を流れる冷媒の温度を検知する。室内熱交換器温度センサ１１５は、室内熱交換器１５に取付けられ、室内熱交換器１５の所定領域を流れる冷媒の温度を検知する。そして、これらの温度センサの測定値に基づき、制御部４が空気調和装置１を運転制御する。
【００３０】
＜空気調和装置の動作＞
空気調和装置１では、四路切換弁１２によって、冷房運転および暖房運転のいずれか一方に切り換えることが可能である。
【００３１】
（冷房運転）
冷房運転では、四路切換弁１２が第１状態（図１の実線）に設定される。この状態で圧縮機１１を運転すると、冷媒回路１０では室外熱交換器１３が凝縮器となり、室内熱交換器１５が蒸発器となる蒸気圧縮冷凍サイクルが行われる。
【００３２】
圧縮機１１から吐出された高圧の冷媒は、室外熱交換器１３で室外空気と熱交換して凝縮する。室外熱交換器１３を通過した冷媒は、膨張弁１４を通過する際に減圧され、その後に室内熱交換器１５で室内空気と熱交換して蒸発する。室内熱交換器１５を通過した冷媒は、圧縮機１１へ吸入されて圧縮される。
【００３３】
（暖房運転）
暖房運転では、四路切換弁１２が第２状態（図１の点線）に設定される。そして、この状態で圧縮機１１を運転すると、冷媒回路１０では、室外熱交換器１３が蒸発器となり、室内熱交換器１５が凝縮器となる蒸気圧縮冷凍サイクルが行われる。
【００３４】
圧縮機１１から吐出された高圧の冷媒は、室内熱交換器１５で室内空気と熱交換して凝縮する。凝縮した冷媒は、膨張弁１４を通過する際に減圧された後、室外熱交換器１３で室外空気と熱交換して蒸発する。室外熱交換器１３を通過した冷媒は、圧縮機１１へ吸入されて圧縮される。
【００３５】
＜閉鎖弁取付板＞
図３は室外ユニットの閉鎖弁取付板のある側面の一部分解図であり、図４は閉鎖弁取付板の拡大斜視図であり、図５は図４のＡ−Ａ線における閉鎖弁取付板の断面図である。図３、図４及び図５において、室外ユニット２は、略直方体形状のケーシング２０に収納された状態で外部に据付けられる。ケーシング２０の側板２１近傍には、液側閉鎖弁６１及びガス側閉鎖弁６２を固定する閉鎖弁取付板３０が設けられている。閉鎖弁取付板３０は、少なくとも３つの平面を有している。
【００３６】
第１の面は、液側閉鎖弁６１が取り付けられる第１取付面３１１である。第１取付面３１１には、第１ネジ孔３１１ａと第１スリット３１１ｂとが形成されている。第１ネジ孔３１１ａは、液側閉鎖弁６１をネジ固定するための孔である。第１スリット３１１ｂは、液側閉鎖弁６１からケーシング２０の内側へ延びる配管との干渉を避けるための切り欠きである。
【００３７】
第２の面は、ガス側閉鎖弁６２が取り付けられる第２取付面３１２である。第２取付面３１２には、第２ネジ孔３１２ａと第２スリット３１２ｂが形成されている。第２ネジ孔３１２ａは、ガス側閉鎖弁６２をネジ固定するための孔である。第２スリット３１２ｂは、ガス側閉鎖弁６２からケーシング２０の内側へ延びる配管との干渉を避けるための切り欠きである。第２スリット３１２ｂの幅は、第１スリット３１１ｂの幅よりも大きく設定されている。
【００３８】
第３の面は、基準面３１０である。基準面３１０は、ケーシング２０の内側から側板２１に接触して位置決めの役割を果たしている。第１取付面３１１及び第２取付面３１２は、側板２１の外側へ露出している。そして、その第１取付面３１１に液側閉鎖弁６１が取り付けられ、第２取付面３１２にガス側閉鎖弁６２が取り付けられた後、液側閉鎖弁６１及びガス側閉鎖弁６２を覆うようにカバー６３が側板２１に取り付けられる。
【００３９】
カバー６３は、室外ユニット２が据付けられるとき、一旦、側板２１から取り外され、液側閉鎖弁６１に液側冷媒連絡配管１７ｂが接続され、ガス側閉鎖弁６２にガス側冷媒連絡配管１７ａが接続される。ガス側冷媒連絡配管１７ａの内径は、液側冷媒連絡配管１７ｂの内径に比べて大きい。
【００４０】
例えば、冷媒にＲ４１０Ａを使用した冷凍能力２．２〜５．６ｋｗの空気調和装置では、液側冷媒連絡配管の外径は１／４インチであり、ガス側冷媒連絡配管の外径は３／８インチである。また、冷媒にＲ４１０Ａを使用した冷凍能力６．３〜７．１ｋｗの空気調和装置では、液側冷媒連絡配管の外径は１／４インチであり、ガス側冷媒連絡配管の外径は１／２インチである。
【００４１】
さらに、例えば、冷媒にＲ１２３４を使用した冷凍能力２．２〜５．６ｋｗの空気調和装置では、液側冷媒連絡配管の外径は１／４インチであり、ガス側冷媒連絡配管の外径は１／２〜５／８インチである。また、冷媒にＲ１２３４を使用した冷凍能力６．３〜７．１ｋｗの空気調和装置では、液側冷媒連絡配管の外径は１／４インチであり、ガス側冷媒連絡配管の外径は５／８インチである。
【００４２】
このように、ガス側冷媒連絡配管１７ａの内径は、液側冷媒連絡配管１７ｂの内径に比べて大きく、冷媒がＲ１２３４のような地球温暖化係数が低い冷媒（以後、低ＧＷＰ冷媒とよぶ）になれば、ガス側冷媒連絡配管１７ａの外径はさらに大型化する。そして、ガス側冷媒連絡配管１７ａの外径の大型化に伴ってガス側閉鎖弁６２も大型化するので、側板２１からのガス側閉鎖弁６２の突出高さも増大する。
【００４３】
しかし、本実施形態では、側板２１からのガス側閉鎖弁６２の突出高さが、側板２１からの液側閉鎖弁６１の突出高さとほぼ同じになるように、ガス側閉鎖弁６２が取り付けられる第２取付面３１２の突出高さが、液側閉鎖弁６１が取り付けられる第１取付面３１１より低く設定されている。
【００４４】
＜特徴＞
以上のように、空気調和装置１の室外ユニット２では、側板２１からのガス側閉鎖弁６２の突出高さが、側板２１からの液側閉鎖弁６１の突出高さとほぼ同じになるように、第２取付面３１２の突出高さが、第１取付面３１１より低く設定されている。その結果、側板２１からの各閉鎖弁の突出量が小さく抑えられ、製品の大型化が抑制される。
【００４５】
＜空気調和装置に使用される冷媒＞
閉鎖弁取付板３０の第１取付面３１１及び第２取付面３１２の高さをそれぞれ異ならせることの効果は、使用する冷媒が低ＧＷＰであるときに顕著である。本実施形態では、低ＧＷＰ冷媒として、Ｒ１２３４を例に説明しているが、それに限定されるものではなく、次に上げる低ＧＷＰ冷媒でも同様の効果を奏する。
【００４６】
（単一冷媒）
例えば、ＨＦＯ−１２３４ｙｆのような、分子式がＣ3ＨmＦn（但し、ｍ＝１〜５，ｎ＝１〜５、且つｍ＋ｎ＝６）で示され且つ分子構造中に二重結合を１個有する有機化合物から成る単一冷媒を使用してもよい。
【００４７】
具体的には、ＨＦＯ−１２２５ｙｅ（１，２，３，３，３−ペンタフルオロ−１−プロペン、化学式：ＣＦ3−ＣＦ＝ＣＨＦ）、ＨＦＯ−１２３４ｚｅ（１，３，３，３−テトラフルオロ−１−プロペン、化学式：ＣＦ3−ＣＨ＝ＣＨＦ）、ＨＦＯ−１２３４ｙｅ（１，２，３，３−テトラフルオロ−１−プロペン、化学式：ＣＨＦ2−ＣＦ＝ＣＨＦ）、ＨＦＯ−１２４３ｚｆ（３，３，３−トリフルオロ−１−プロペン、化学式：ＣＦ3−ＣＨ＝ＣＨ2）、１，２，２−トリフルオロ−１−プロペン、化学式：ＣＨ3−ＣＦ＝ＣＦ2）、２−フルオロ−１−プロペン、（化学式：ＣＨ3−ＣＦ＝ＣＨ2）等が挙げられる。なお、説明の便宜上、それらの単一冷媒を基本冷媒として区分する。
【００４８】
（混合冷媒）
また、上記基本冷媒のいずれか１つを含む混合冷媒を使用してもよい。例えば、２２質量％のＨＦＣ−３２との混合冷媒である。さらに、ＨＦＣ−３２の割合は、６質量％以上３０質量％以下であればよく、好ましくは、１３質量％以上２３質量％以下であればよく、更に好ましくは、２１質量％以上２３質量％以下であればよい。
【００４９】
また、上記基本冷媒のいずれか１つと、１０質量％以上のＨＦＣ−１２５（ペンタフルオロエタン、ＣＦ3−ＣＨＦ2）との混合冷媒でもよく、さらに、ＨＦＣ−１２５の割合は、１０質量％以上２０質量％以下であれば好ましい。
【００５０】
また、上記基本冷媒のいずれか１つと、ＨＦＣ−１３４（１，１，２，２−テトラフルオロエタン、ＣＨＦ2−ＣＨＦ2）、ＨＦＣ−１３４ａ（１，１，１，２−テトラフルオロエタン、ＣＨ2Ｆ−ＣＦ3）、ＨＦＣ−１４３ａ（１，１，１−トリフルオロエタン、ＣＨ3ＣＦ3）、ＨＦＣ−１５２ａ（１，１−ジフルオロエタン、ＣＨＦ2−ＣＨ3）、ＨＦＣ−１６１（フルオロエタン、ＣＨ3−ＣＨ2Ｆ）、ＨＦＣ−２２７ｅａ（１，１，１，２，３，３，３−ヘプタフルオロプロパン、ＣＦ3−ＣＨＦ−ＣＦ3）、ＨＦＣ−２３６ｅａ（１，１，１，２，３，３−ヘキサフルオロプロパン、ＣＦ3−ＣＨＦ−ＣＨＦ2）、ＨＦＣ−２３６ｆａ（１，１，１，３，３，３−ヘキサフルオロエタン、ＣＦ3−ＣＨ2−ＣＦ3）、及びＨＦＣ−３６５ｍｆｃ（１，１，１，３，３−ペンタフルオロブタン、ＣＦ3−ＣＨ2ＣＦ2−ＣＨ3）のいずれか１つとの混合冷媒でもよい。
【００５１】
また、上記基本冷媒のいずれか１つと、炭化水素系冷媒との混合冷媒であってもよい。具体的には、上記基本冷媒のいずれか１つと、メタン（ＣＨ4）、エタン（ＣＨ3−ＣＨ3）、プロパン（ＣＨ3−ＣＨ2−ＣＨ3）、プロペン（ＣＨ3−ＣＨ＝ＣＨ2）、ブタン（ＣＨ3−ＣＨ2−ＣＨ2−ＣＨ3）、イソブタン（ＣＨ3−ＣＨ（ＣＨ3）−ＣＨ3）、ペンタン（ＣＨ3−ＣＨ2−ＣＨ2−ＣＨ2−ＣＨ3）、２−メチルブタン（ＣＨ3−ＣＨ（ＣＨ3）−ＣＨ2−ＣＨ3）、及びシクロペンタン（ｃｙｃｌｏ−Ｃ5Ｈ10）のいずれか１つとの混合冷媒でもよい。
【００５２】
また、上記基本冷媒のいずれか１つと、ジメチルエーテル（ＣＨ3−Ｏ−ＣＨ3）、ビス−トリフルオロメチル−サルファイド（ＣＦ3−Ｓ−ＣＦ3）、二酸化炭素（ＣＯ2）、及びヘリウム（Ｈｅ）のいずれか１つとの混合冷媒でもよい。
【００５３】
また、上記基本冷媒のいずれか１つと、上記第２成分のいずれか２つとから成る混合冷媒を使用してもよい。例えば、５２質量％のＨＦＯ−１２３４ｙｆと、２３質量％のＨＦＣ−３２と、２５質量％のＨＦＣ−１２５から成る混合冷媒が好ましい。
【産業上の利用可能性】
【００５４】
以上のように、本発明は、空気調和装置の室外ユニット、特に、冷媒に低ＧＷＰ冷媒を使用した空気調和装置の室外ユニットに有用である。
【図面の簡単な説明】
【００５５】
【図１】本発明の一実施形態に係る室外ユニットを用いた空気調和装置の外観図。
【図２】本発明の一実施形態に係る室外ユニットを用いた空気調和装置の構成図。
【図３】室外ユニットの閉鎖弁取付板のある側面の一部分解図。
【図４】閉鎖弁取付板の拡大斜視図。
【図５】図４のＡ−Ａ線における閉鎖弁取付板の断面図。
【符号の説明】
【００５６】
１  空気調和装置
２  室外ユニット
１７ａ  ガス側冷媒連絡配管
１７ｂ  液側冷媒連絡配管
２０  ケーシング（筐体）
２１  側板（側面）
３０  閉鎖弁取付板
６１  液側閉鎖弁
６２  ガス側閉鎖弁
３１１  第１取付面
３１２  第２取付面
【図１】
2010096366.tif 000003
【図２】
2010096366.tif 000004
【図３】
2010096366.tif 000005
【図４】
2010096366.tif 000006
【図５】
2010096366.tif 000007